(57)【特許請求の範囲】
【請求項１】
敷居または鴨居となる造作材であって、引き戸が嵌まる複数または一条の案内溝の成形された部品と案内溝を有しない部品とに、前記案内溝の側縁に沿って分割され、両部品間の分割面は、案内溝形成側の部品が表側に位置する相欠き形状とし、前記両部品を樹脂製とした和室開口部造作材。
【請求項２】
敷居となる造作材であって、敷居滑りとなる複数の突条を、前記案内溝内に長手方向に沿って一体に形成した請求項１記載の和室開口部造作材。
【請求項３】
鴨居となる造作材であって、案内溝形成側の部品は、壁面に沿って立ち上がる立ち上がり縁を有し、この立ち上がり縁は裏面に取付部品係止部を有し、この取付部品係止部は、前記壁面に取付けられた取付用部品の係止爪に弾性的に係止させる請求項１記載の和室開口部造作材。
【請求項４】
請求項３記載の和室開口部造作材を用いた造作材取付構造であって、案内溝形成側の部品の立ち上がり縁の上側に沿って化粧用縁材を前記壁面に配置し、前記壁面に設置されて前記化粧用縁材を取付ける取付用部品を、前記案内溝形成側の部品を係止する取付用部品と共通のものとした和室開口部造作材の取付構造。
【請求項５】
前記取付用部品は、前記案内溝形成側の部品の立ち上がり縁の裏側に位置して壁面に固着具で固定される壁面固定部と、この壁面固定部から突出して前記立ち上がり縁の裏面の取付部品係止部に係合する係止爪と、前記壁面固定部から屈曲部を介して上方に延びて前記化粧用縁材の上部を取付ける化粧用縁材上部取付部とを有し、前記屈曲部と前記係止爪とで、化粧用縁材の下部と前記立ち上がり縁の上縁部とを重なり状態で挟み込むようにした請求項４記載の和室開口部造作材の取付構造。
【請求項６】
敷居となる造作材であって、案内溝形成側の部品は、壁面に沿って立ち下がる立ち下がり縁を有し、この立ち下がり縁は裏面に取付部品係止部を有し、この取付部品係止部は、前記壁面に取付けられた取付用部品の係止爪に弾性的に係止させる請求項１または請求項２記載の和室開口部造作材。
【請求項７】
縦枠材となる造作材であって、引き戸が嵌まるしゃくり部の側縁に沿って二つの部品に分割し、両部品間の分割面は、前記しゃくり部の底面形成側の部品が表側に位置する相欠き形状とし、前記しゃくり部底面の形成側の部品は、前縁から側方に張出して壁面の開口縁を覆う側方張出部を有し、前記両部品を樹脂製とした和室開口部造作材。
【請求項８】
前記壁面が、下地桟および面材で構成される壁パネルで形成されるものであり、請求項７記載の和室開口部造作材と並べて樹脂製の付柱を設け、請求項６記載の和室開口部造作材を用い、請求項４または請求項５記載の和室開口部造作材の取付構造を用いた和室開口部造作材の取付構造。
【発明の詳細な説明】
【０００１】
【発明の属する技術分野】
この発明は、工業化住宅等に適用される敷居や鴨居などの和室開口部造作材およびその取付構造に関する。
【０００２】
【従来の技術と発明が解決しようとする課題】
工業化住宅の和室は、基本的に大壁構造であり、従来工法の多くに見られる真壁構造ではない。また、それに使用される造作材は、檜や杉と言った伝統的な天然材が使用されている。
工業化住宅において、伝統的な和室の造作を行う場合は、付柱を用いて真壁構造のように演出した造作を行う必要がある。しかし、その施工方法は、隠し釘や接着剤を使用した施工が中心となり、後の補修、交換等のメンテナンスに対応し難い面がある。
また、敷居においては、敷居溝に貼付けられている樹脂製の滑りが、木材との伸縮率の違いにより、浮き上がったり、剥がれることが発生したり、天然素材であるがために、長年の使用において、木目に沿って敷居の角や端面に割れや欠けが生じてしまうことがある。
さらに、木材資源の減少により、造作材として使用する天然材の入手は困難となりつつある。天然材を組み合わせて使用する場合も、木目や色柄の違いが問題になる。
【０００３】
この発明の目的は、このような課題を解消し、木目や色柄の違いが少なく、長期の使用による角や端面への割れや欠けの発生を抑えることができ、補修・交換などのメンテナスが容易で、また隣接する居室の仕上げに少ない部品数で対応できる和室開口部造作材およびその取付構造を提供することである。
【０００４】
【課題を解決するための手段】
この発明の和室開口部造作材は、敷居または鴨居となる造作材であって、引き戸が嵌まる複数または一条の案内溝の成形された部品と案内溝を有しない部品とに、前記案内溝の側縁に沿って分割され、両部品間の分割面は、案内溝形成側の部品が表側に位置する相欠き形状とし、前記両部品を合成樹脂の押出成形品等の樹脂製としたものである。これら樹脂製の部品は、木粉等を混入し、木目柄を模して檜や杉に酷似したものとしても良い。
この構成によれば、樹脂製の造作材としたため、木目柄や色味を安定させることができ、長尺部材の製作も可能となり、天然木の場合に木目に沿って角や端面に生じる割れや欠けを無くすことができる。また、木材では加工できない複雑な断面形状や小さな断面形状部分も成形できる。樹脂製であっても、例えばマイクロカプセル等の芳香剤を混入させて成形すれば、天然木に酷似した香りを付けることもできる。また、この造作材は２部品の組合わせにより敷居や鴨居を構成するので、両部品に複数種のものを準備して自在に組み合わせ可能とすることにより、部品種類数を抑えながら、多くの居室の部位や内装仕上げに合った対応、および戸の枚数や厚みに応じた対応ができる。例えば、隣接する居室の仕上げに、両部品の組み合わせで対応できる。隣接する部屋が、和室と和室、和室と広縁（または廊下）、和室と押入れ、和室と洋室などの各場合にも、両側の居室の仕上げに対応した造作材に、両部品の組み合わせで対応できる。また、２部品の組合わせによる造作材とし、分割面も相欠き形状としたため、建物躯体や下地に対して、嵌合やねじ止めによる取付方法が主となる施工方法で施工できる。そのため、施工の簡略化が図れ、後々の補修や交換などのメンテナンスが容易である。２部品の分割は、案内溝の側縁に沿って行ったため、分割部が目立たない。また、この分割面は、相欠き形状としたため、下側の部品を釘等の固着具で下地材に固定しても、その固着具が上側の部品で隠される。この相欠き形状は、案内溝形成側の部品が表側に位置する形状としたため、幅狭側の部品となる案内溝非形成側の部品に設ける場合と異なり、前記の固着具で固着可能な幅が十分に確保できる。案内溝は片方の部品に全て設けるので、両部品の取付誤差で引き戸の案内性が低下することがない。
【０００５】
上記構成において、敷居となる造作材である場合に、敷居滑りとなる複数の突条を、前記案内溝内に長手方向に沿って一体に形成しても良い。このように、敷居となる造作材自体に敷居滑りとなる形状部分を一体に形成することにより、敷居滑りの浮きや剥がれが防止できる。
また、鴨居となる造作材において、案内溝形成側の部品は、壁面に沿って立ち上がる立ち上がり縁を有し、この立ち上がり縁は裏面に取付部品係止部を有し、この取付部品係止部は、前記壁面に取付けられた取付用部品の係止爪に弾性的に係止させても良い。この構成の場合、案内溝形成側の部品を、壁面に取付けられた取付用部品へ弾性的に係止させることにより簡単に取付けることができる。取付用部品は案内溝形成側の部品の立ち上がり縁によって覆われるので、外観美が損なわれることもない。
【０００６】
この発明の請求項４記載の造作材取付構造は、上記構成の鴨居となる造作材を用いたものであって、案内溝形成側の部品の立ち上がり縁の上側に沿って化粧用縁材を前記壁面に配置し、前記壁面に設置されて前記化粧用縁材を取付ける取付用部品を、前記案内溝形成側の部品を係止する取付用部品と共通のものとしている。
この構成によれば、鴨居の上の壁面を覆う化粧用縁材を、少ない部品により容易に取り付けることができる。
【０００７】
上記構成において、前記取付用部品は、前記案内溝形成側の部品の立ち上がり縁の裏側に位置して壁面に固着具で固定される壁面固定部と、この壁面固定部から突出して前記立ち上がり縁の裏面の取付部品係止部に係合する係止爪と、前記壁面固定部から屈曲部を介して上方に延びて前記化粧用縁材の上部を取付ける化粧用縁材上部取付部とを有し、前記屈曲部と前記係止爪とで、化粧用縁材の下部と前記立ち上がり縁の上縁部とを重なり状態で挟み込むようにしても良い。この構成の場合、一つの取付用部品により、案内溝形成側の部品と化粧用縁材とを簡単かつ堅固に、鴨居の上の壁面に取付けることができる。
【０００８】
また、上記の敷居となる造作材において、案内溝形成側の部品は、壁面に沿って立ち下がる立ち下がり縁を有し、この立ち下がり縁は裏面に取付部品係止部を有し、この取付部品係止部は、前記壁面に取付けられた取付用部品の係止爪に弾性的に係止させても良い。この構成の場合、案内溝形成側の部品を、壁面に取付けられた取付用部品へ弾性的に係止させることにより簡単に取付けることができる。取付用部品は案内溝形成側の部品の立ち上がり縁によって覆われるので、外観美が損なわれることもない。
【０００９】
この発明の請求項７記載の和室開口部造作材は、縦枠材となる造作材であって、引き戸が嵌まるしゃくり部の側縁に沿って二つの部品に分割し、両部品間の分割面は、前記しゃくり部の底面形成側の部品が表側に位置する相欠き形状とし、前記しゃくり部底面の形成側の部品は、前縁から側方に張出して壁面の開口縁を覆う側方張出部を有し、前記両部品を樹脂製としたものである。
この構成によれば、２部品の組合わせにより縦部材となる造作材を構成できるので、補修・交換などのメンテナンスが容易である。また、樹脂製であるため、両部品間に木目や色柄の違いが生じないようにでき、長期の使用による角や端面への割れや欠けの発生も抑えることができる。さらに、分割部がしゃくり部の側縁であるため、分割部が目立たない。
【００１０】
この発明の請求項８記載の造作材取付構造は、前記壁面が、下地桟および面材で構成される壁パネルで形成されるものとし、上記縦枠材となる造作材と並べて樹脂製の付柱を設け、上記敷居となる造作材を用い、上記敷居となる造作材の取付構造を用いたものである。
このような壁パネル構造を用いた場合、一般に和室開口まわりの造作材の施工が難しいが、この構成によれば、木目や色柄の違いが少なく、長期の使用による角や端面への割れや欠けの発生を抑えることができ、補修・交換などのメンテナスが容易な和室開口部を簡単に施工できる。
【００１１】
【発明の実施の形態】
この発明の一実施形態を図１ないし図１５と共に説明する。図１はこの実施形態に係る和室開口部造作材およびその取付構造を適用した和室を示し、図２は図１における押入開口部Ａ２の縦断面図を示す。
図２において、敷居となる造作材１は、引き戸２（図１）が嵌まる２条の案内溝３の成形された部品１Ａと、案内溝３を有しない部品１Ｂとに、一方の案内溝３の側縁に沿って分割されている。両部品１Ａ，１Ｂは樹脂製であって、その分割面は、案内溝形成側の部品１Ａが表側に位置する相欠き形状とされている。案内溝３を有しない部品１Ｂは、その後端が押入床部分４の前端に押し当てられた状態で床下地面上に配置され、その分割面から貫通するビスなどの軸状の固着具５によって床下地材６に取付けられる。その取付けにおいては、部品１Ｂの端部を建物のモジュール芯に揃えることにより正しく位置決めができるように、寸法が設定されている。案内溝３の成形された部品１Ａは、案内溝３を有しない部品１Ｂと、押入の前方の薄畳等の畳７とに挟まれた状態で床面上に配置されて位置決めされる。この部品１Ａの案内溝３には、溝長手方向に延びる突条からなる複数条の敷居滑り３ａが一体に成形されている。
【００１２】
このように、上記造作材１は２部品１Ａ，１Ｂの組合わせにより敷居を構成できるので、補修・交換などのメンテナンスが容易であり、隣接する居室の仕上げにも容易に対応できる。また、樹脂製であるため、両部品間に木目や色柄の違いが生じないように成形でき、長期の使用による角や端面への割れや欠けの発生も抑えることができる。また、案内溝非形成側の部品１Ｂの固着具５は案内溝形成側の部品１Ａで隠れるので、外観美が増す。部品１Ａは、その案内溝３を１条だけ有するものであっても、３条以上有するものであっても良い。また、敷居滑り３ａは、案内溝３に一体に成形されているので、敷居滑り３ａが案内溝３から浮き上がったり剥がれるのを防止できる。
【００１３】
鴨居となる造作材１１は、引き戸２（図１）が嵌まる２条の案内溝１３の成形された部品１１Ａと、案内溝１３を有しない部品１１Ｂとに、一方の案内溝１３の側縁に沿って分割されている。この場合も両部品１１Ａ，１１Ｂは樹脂製であって、その分割面は、案内溝形成側の部品１１Ａが表側に位置する相欠き形状とされている。案内溝１３を有しない部品１１Ｂは、その分割面から貫通するビスなどの軸状の固着具５によって間仕切パネル１５の下地桟１６に取付けられる。その取付けにおいても、部品１１Ｂの端部を建物のモジュール芯に揃えることにより正しく位置決めができるように、寸法が設定されている。案内溝１３の成形された部品１１Ａは、壁面となる間仕切パネル１５の面材１７に沿って立ち上がる立ち上がり縁１４を有する。この立ち上がり縁１４は裏面に取付部品係止部１４ａを有する。取付部品係止部１４ａは、部品１１Ａの全長に沿って延びる突片からなり、先端が下側に突出した鉤形の断面形状とされている。また、上記間仕切パネル１５の面材１７には、係止爪１８ａを有する板状の取付用部品１８がビスなどの固着具５によって取付けられる。係止爪１８ａは、２個が上下に設けられている。取付用部品１８は、アルミの押し出し成形品等の金属製のもの、あるいは硬質樹脂製のものである。この取付用部品１８の係止爪１８ａに取付部品係止部１４ａを弾性的に係止させることにより、案内溝１３を有する上記部品１１Ａが取付けられる。
【００１４】
このように、上記造作材１１も２部品１１Ａ，１１Ｂの組合わせにより鴨居を構成できるので、補修・交換などのメンテナンスが容易であり、隣接する居室の仕上げにも容易に対応できる。また、樹脂製であるため、両部品間に木目や色柄の違いが生じないように成形でき、長期の使用による角や端面への割れや欠けの発生も抑えることができる。この場合も、案内溝非形成側の部品１１Ｂの固着具５が案内溝形成側の部品１１Ａで隠れるので、外観美が増す。また、案内溝形成側の部品１１Ａは、壁面に取付けられた取付用部品１８へ弾性的に係止させることにより簡単に取付けできるので、施工が容易になる。部品１１Ａは、その案内溝１３を１条だけ有するものであっても、３条以上有するものでも良い。
【００１５】
図３は図１における鴨居から欄間敷居にわたる部分Ａ３の縦断面図を示す。
図３において、間仕切パネル１５の面材１７からなる壁面には、鴨居となる造作材１１の案内溝形成側の部品１１Ｂの立ち上がり縁１４の上側に沿って、長押となる化粧用縁材１９が配置される。この化粧用縁材１９は樹脂製のものであり、上記造作材１１の部品１１の取付部品係止部１４ａが係止する取付用部品１８を共通の取付用部品として壁面に取付けられる。すなわち、取付用部品１８には、固着具５により壁面に固定される壁面固定部１８ｂとは別に、この壁面固定部１８ｂから屈曲部１８ｃを介して上方に延びて化粧用縁材１９の上部を取付ける化粧用縁材上部取付部１８ｄを有する。その化粧用縁材上部取付部１８ｄに、化粧用縁材１９の上部がビスなどの固着具５によって取付けられる。また、取付用部品１８の係止爪１８ａは壁面固定部１８ｂから突出させてあり、その係止爪１８ａと屈曲部１８ｃとで、化粧用縁材１９の下部と部品１１Ａの立ち上がり縁１４の上縁部とが重なり状態で挟み込まれる。
【００１６】
このように、鴨居の上側の壁面に配置する化粧用縁材１９を、鴨居となる造作材１１の部品１１Ａと共通の取付用部品１８を介して壁面に取付けるので、化粧用縁材１９を少ない部品により容易に取付けることができる。また、取付用部品１８は造作材１１の部品１１Ａと化粧用縁材１９とにより完全に隠れるので、外観美を損なうことはない。
【００１７】
図３に示すように、欄間敷居となる造作材２１も、引き戸２２（図１）の嵌まる案内溝３が成形された部品２１Ａと、案内溝３を有しない部品２１Ｂとに、案内溝３の側縁に沿って分割され、両部品２１Ａ，２１Ｂは樹脂製とされている。案内溝３に敷居滑り３ａが一体に形成されていることは、図２における造作材１と同じである。また、両部品間の分割面は、案内溝形成側の部品２１Ａが表側に位置する相欠き形状とされている。この場合、案内溝形成側の部品２１Ａは、壁面となる間仕切パネル１５の面材１７に沿って立ち下がる立ち上がり縁２４を有する。この立ち下がり縁２４は裏面に取付部品係止部２４ａを有する。また、上記間仕切パネル１５の下地桟１６には、係止爪２８ａを有する取付用部品２８がビスなどの固着具５によって取付けられる。この取付用部品２８の係止爪２８ａに取付部品係止部２４ａを弾性的に係止させることにより、案内溝３を有する上記部品２１Ａが取付けられる。案内溝３を有しない部品２１Ｂは、欄間床部材２９と案内溝形成側の部品２１Ａとに挟まれて位置決めされる。
【００１８】
この造作材２１の場合も、２部品２１Ａ，２１Ｂの組合わせにより欄間敷居を構成できるので、補修・交換などのメンテナンスが容易である。また、樹脂製であるため、両部品間に木目や色柄の違いが生じないようにでき、長期の使用による角や端面への割れや欠けの発生も抑えることができる。この場合も、案内溝形成側の部品２１Ａを、壁面に取付けられた取付用部品２８へ弾性的に係止させることにより簡単に取付けできるので、施工が容易になる。
【００１９】
図４は、図１における欄間開口部Ａ４の縦断面図を示す。
図４において、欄間鴨居となる造作材３１も、引き戸２２（図１）が嵌まる案内溝１３の成形された部品３１Ａと、案内溝１３を有しない部品３１Ｂとに、一方の案内溝１３の側縁に沿って分割されている。また、両部品間の分割面は、案内溝形成側の部品３１Ａが表側に位置する相欠き形状とされ、両部品３１Ａ，３１Ｂは樹脂製とされている。案内溝形成側の部品３１Ａが立ち上がり縁１４を有し、その立ち上がり縁１４を壁面に接地された取付用部品３８の係止爪３８ａへ弾性的に係止させることは、図３の部品１１Ａと同じである。この場合も、立ち上がり縁１４の上側に沿って化粧用縁材３９が配置される。この化粧用縁材３９は、その裏面に有する取付部品係止部３９ａを、壁面にビスなどの固着具５で取付けられる取付用部品４０の係止爪４０ａに弾性的に係止することによって壁面に取付けられる。取付用部品４０の上端には、天井３２に沿わせるガイドとなる折返し部４０ｂが形成されている。
【００２０】
図５は図１における押入開口部Ａ５の水平断面図を示す。
図５において、縦枠材となる造作材４１は、引き戸２（図１）が嵌まるしゃくり部４２の側縁に沿って二つの部品４１Ａ，４１Ｂに分割し、両部品間の分割面は、上記しゃくり部４２の底面形成側の部品４１Ａが表側に位置する相欠き形状とされている。また、しゃくり部底面の形成側の部品４１Ａは、前縁から側方に張出して壁面の開口縁を覆う側方張出部４４を有する。また、両部品４１Ａ，４１Ｂは樹脂製とされている。壁面は、下地桟４６および面材４７で構成される壁パネル４５からなる。しゃくり部非形成側の部品４１Ｂは、その分割面から貫通するビスなどの固着具５により壁パネル４５の端部の下地桟４６に取付けられる。その取付けにおいても、部品４１Ｂの端部を建物のモジュール芯に揃えることにより正しく位置決めができるように、寸法が設定されている。しゃくり部形成側の部品４１Ａは、その裏面に取付部品係止部４１Ａａを有し、その取付部品係止部４１Ａａを、壁パネル４５の端部の下地桟４６にビスなどの固着具５で固定した取付用部品４８の係止爪４８ａに弾性的に係止させることにより取付けられる。
【００２１】
縦枠材となる上記造作材４１ではしゃくり部４２を有するので、施工誤差による引き戸２の反りや倒れなどから縦枠材と引き戸２との間に隙間が発生しても、この隙間が外から見えないように上記しゃくり部４２で隠すことができる。
【００２２】
押入開口部Ａ５と、壁面との間には、付柱４３が配置される。この付柱４３は樹脂製のものであり、その裏面に有する取付部品係止部４３ａを、壁パネル４５にビスなどの固着具５で固定される取付用部品４９の係止爪４９ａに弾性的に係止させることにより取付けられる。取付用部品４９の壁パネル４５への固定においては、その中心を建物のモジュール芯に揃うように行われる。これにより、付柱４３を正しく位置決めできる。
【００２３】
図６は２つの和室の境界部の縦断面図を示す。敷居となる造作材１は、図２の場合と同様に二部品１Ａ，１Ｂに分割される。両部品１Ａ，１Ｂは、隣合う和室の薄畳等の畳７，７に挟まれて位置決めされる。
鴨居となる造作材１１も、図３の場合と同様に二部品１１Ａ，１１Ｂに分割される。この場合、案内溝形成側の部品１１Ａだけでなく、案内溝１３を有しない部品１１Ｂにも立ち上がり縁１４を有する。立ち上がり縁１４が、壁面に取付けられた取付用部品１８に弾性的に係止されること、および立ち上がり縁１４の上側に沿って化粧用縁材１９を配置し、その化粧用縁材１９を上記部品１１Ａ，１１Ｂと共通の取付用部品１８に取付けることも図３の場合と同じである。
【００２４】
図７（Ａ）は図１における和室と洋室の境界開口部Ａ７ａの縦断面図を、図７（Ｂ）は図１における和室と洋室の境界壁部Ａ７ｂの縦断面図をそれぞれ示す。
図７（Ａ）において、敷居となる造作材１は、図２の場合と同様に二部品１Ａ，１Ｂに分割される。両部品１Ａ，１Ｂは、洋室のフロア材５０と和室の畳７とに挟まれて位置決めされる。
図７（Ｂ）において、洋室のフロア材５０は、間仕切パネル１５の下端の下地桟１６下部まで配置される。また、和室側の畳７と間仕切パネル１５との間には畳寄せ部材５１が介装される。
【００２５】
図８は、図１における鴨居から廻り縁にわたる部分Ａ８の縦断面図を示す。
図８において、鴨居となる造作材１１が二部品１１Ａ，１１Ｂに分割される構造や、その一部品１１Ａが立ち上がり縁１４を有することや、その立ち上がり縁１４とその上方に配置される長押となる化粧用縁材１９が共通の取付用部品１８に取付けられることは、図３の場合と同様である。廻り縁となる化粧用縁材３９は、その裏面に有する取付部品係止部４０ａが、図４の場合と同様に、ビスなどの固着具５により間仕切パネル１５の下地桟１６に固定される取付用部品４０の係止爪３９ａに弾性的に係止させることにより取付けられる。取付用部品４０の上端には、天井に沿わせるガイドとなる折返し部分４０ｂが設けられている。この化粧用縁材３９も樹脂製のものとされている。
【００２６】
図９は、図１における和室と洋室の境界縦枠部Ａ９の水平断面図を示す。
図９において、縦枠材となる造作材６１も、図５の場合とほぼ同様に、戸襖５２（図１）の当たり部６２の側縁に沿って二つの部品６１Ａ，６１Ｂに分割し、両部品６１Ａ，６１Ｂの分割面は、上記当たり部６２の形成側の部品６１Ａが表側に位置する相欠き形状とされている。その他の構成は図５の場合と同様である。
【００２７】
図１０は、図１における付鴨居から長押にわたる部分Ａ１０の縦断面図を示す。この付鴨居５３および長押５４の壁パネル４５への取付けには、図２の例と同じ取付用部品１８が用いられる。すなわち、取付用部品１８は、壁面固定部１８ｂがビスなどの固着具５によって壁パネル４５に取付けられ、その壁面固定部１８ｂから突出する係止爪１８ａに、付鴨居５３の裏面に有する取付部品係止部５３ａが弾性的に係止される。また、取付用部品１８は、上記壁面固定部１８ｂから屈曲部１８ｃを介して上方に延びる取付部１８ｄを有し、この取付部１８ｄに長押５４の上部がビスなどの固着具５により取付けられる。さらに、取付用部品１８の屈曲部１８ｃと係止爪１８ａとで、長押５４の下部と付鴨居５３の上縁部とが重なり状態で挟み込まれる。
【００２８】
図１１は、図１における障子５５の上枠側部分Ａ１１の縦断面図を示す。この場合のサッシ部鴨居５６および長押５４の外壁パネル６５への取付けにも、図２の例と同じ取付用部品１８が用いられる。すなわち、取付用部品１８は、壁面固定部１８ｂがビスなどの固定具５によって外壁パネル６５に取付けられ、その壁面固定部１８ｂから突出する係止爪１８ａを有する。サッシ部鴨居５６は、壁面に沿って立ち上がる立ち上がり縁５７を有し、その立ち上がり縁５７の裏面に有する取付部品係止部５７ａが上記取付用部品１８の係止爪１８ａに弾性的に係止される。また、取付用部品１８は、上記壁面固定部１８ｂから屈曲部１８ｃを介して上方に延びる取付部１８ｄを有し、この取付部１８ｄに長押５４の上部がビスなどの固着具５により取付けられる。さらに、取付用部品１８の屈曲部１８ｃと係止爪１８ａとで、長押５４の下部とサッシ部鴨居５６の立ち上がり縁５７の上縁部とが重なり状態で挟み込まれる。サッシ部鴨居５６は、サッシ枠固定部分まで一体に形成されたものであり、サッシ上枠５８Ａは、その屋内側端部がサッシ部鴨居５６の表面に重ねられて、ビス５９により取付けられる。
【００２９】
図１２は、図１における障子５５の下枠側部分Ａ１２の縦断面図を示す。この場合のサッシ部敷居６６は、壁面に沿って立ち下がる立ち下がり縁６７を有し、その立ち下がり縁６７の裏面に取付部品係止部６７ａを有する。この取付部品係止部６７ａは、外壁パネル６５にビスなどの固着具５で取付けられた取付用部品６８の係止爪６８ａに弾性的に係止される。サッシ部敷居６６の屋外側端部には、サッシ下枠５８Ｂがビス５９により取付けられる。
【００３０】
図１３は、図１における障子５５の縦枠側部分Ａ１３の水平断面図を示す。サッシ部縦枠７６は、ビスなどの固着具５によって外壁パネル６５の下地桟６９に取付けられる。サッシ部縦枠７６に隣接する付柱４３は、図９の場合と同様に、取付用部品４９を介して外壁パネル６５に取付けられる。すなわち、ビスなどの固着具５により外壁パネル６５に固定される取付用部品４９には係止爪４９ａが突出しており、付柱４３の裏面に有する取付部品係止部４３ａが取付用部品４９の上記係止爪４９ａに弾性的に係止される。サッシ縦枠５８Ｃは、上記サッシ部縦枠７６の屋外側端部にビス５９によって取付けられる。
【００３１】
図１４は、図１における入隅部Ａ１４の水平断面図を示す。この入隅部には、入隅部化粧柱８０が取付用部品８８を介して取付けられる。すなわち、係止爪８８ａを有する取付用部品８８が、ビスなどの固着具５により間仕切パネル１５の下地桟１６に取付けられ、入隅部化粧柱８０の裏面に有する取付用部品係止部８０ａが上記取付用部品８８の係止爪８８ａに弾性的に係止される。
【００３２】
図１５は、片面が戸襖の開口部、他面が引き戸の開口部となった和室の入隅部の水平断面図を示す。
同図において、引き戸の開口部の縦枠材となる造作材９１は、図５の場合とほぼ同様に、引き戸が嵌まるしゃくり部９２の側縁に沿って二つの部品９１Ａ，９１Ｂに分割し、両部品間の分割面は、上記しゃくり部９２の底面形成側の部品９１Ａが表側に位置する相欠き形状とされている。また、しゃくり部底面の形成側の部品９１Ａの一端部は入隅部化粧柱８０の片面を覆う。しゃくり部非形成側の部品９１Ｂは、その分割面から貫通するビスなどの固着具５により壁パネル４５の端部の下地桟４６に取付けられる。しゃくり部形成側の部品９１Ａは、その裏面に取付部品係止部９１Ａａを有し、その取付部品係止部９１Ａａを、壁パネル４５の端部の下地桟４６にビスなどの固着具５で固定した取付用部品４８の係止爪４８ａに弾性的に係止させることにより取付けられる。
【００３３】
戸襖の開口部の縦枠材となる造作材１０１は、図９の場合とほぼ同様に、戸襖の当たり部１０２の側縁に沿って二つの部品１０１Ａ，１０１Ｂに分割し、両部品１０１Ａ，１０１Ｂの分割面は、上記当たり部１０２の形成側の部品１０１Ａが表側に位置する相欠き形状とされている。当たり部１０２の形成側の部品１０１Ａの一端部は入隅部化粧柱８０の他の片面を覆う。造作材１０１の取付け構造は、図９の場合と同様である。すなわち、当たり部非形成側の部品１０１Ｂは、その分割面から貫通するビスなどの固着具５により壁パネル４５の端部の下地桟４６に取付けられる。当たり部形成側の部品１０１Ａは、その裏面に取付部品係止部１０１Ａａを有し、その取付部品係止部１０１Ａａを、壁パネル４５の端部の下地桟４６にビスなどの固着具５で固定した取付用部品４８の係止爪４８ａに弾性的に係止させることにより取付けられる。入隅部化粧柱８０の取付構造は図１４の場合と同様である。
【００３４】
【発明の効果】
この発明の和室開口部造作材は、次の各効果が得られる。
(1) 合成樹脂の成形品であるため、木目や色味のばらつきが少なくなり、長尺部材の一体成形も可能となる。
(2) 木材ではできない複雑な断面や小さな断面部分も成形でき、形状の自由度が高い。特に、下地材や隣接する造作材との取付部や係合部を自由に形成できる。例えば、鴨居とした場合に、壁面に沿って立ち上がる立ち上がり縁を設け、この立ち上がり縁は裏面に取付部品係止部を有し、この取付部品係止部は、前記壁面に取付けられた取付用部品の係止爪に弾性的に係止させるようにすることができる。これにより、取り付けが簡単となる。
(3) 芳香剤を混入させて成形すれば、天然材に酷似した香りを付けることもできる。
(4) ２部品に分割したため、両部品に複数種のものを準備して自在に組み合わせ可能とすることにより、部品種類数を抑えながら、多くの居室の部位や内装に対応できる。
(5) ２部品の分割は、案内溝の側縁に沿って行ったため、分割部が目立たない。
(6) また、この分割面は、相欠き形状としたため、下側の部品を釘等の固着具で下地材に固定しても、その固着具が上側の部品で隠される。
(7) この相欠き形状は、案内溝形成側の部品が表側に位置する形状としたため、幅狭側の部品となる案内溝非形成側の部品に設ける場合と異なり、前記の固着具で固着可能な幅が十分に確保できる。案内溝は片方の部品に全て設けるので、両部品の取付誤差で引き戸の案内性が低下することがない。
(8) 敷居とした場合、天然材で発生し易い角や端面の割れや欠けを削減できる。
(9) 敷居溝に敷居滑りとなる突条を一体に設けた場合は、敷居滑りの浮きや剥がれを防止できる。
(10)造作材の取付に、ねじ固定や嵌合式の取付構造を採用することにより、後々の補修や交換にも容易に対応でき、洋室から和室へのリフォーム対応も可能になる。
【図面の簡単な説明】
【図１】この発明の和室開口部造作材およびその取付構造を適用した和室を示す斜視図である。
【図２】図１における押入開口部を示す縦断面図である。
【図３】図１における鴨居から欄間敷居にわたる部分を示す縦断面図である。
【図４】図１における欄間開口部を示す縦断面図である。
【図５】図１における押入開口部を示す水平断面図である。
【図６】２つの和室の境界部を示す縦断面図である。
【図７】（Ａ）は図１における和室と洋室の境界開口部を示す縦断面図、（Ｂ）は図１における和室と洋室の境界壁部を示す縦断面図である。
【図８】図１における鴨居から廻り縁にわたる部分を示す縦断面図である。
【図９】図１における和室と洋室の境界縦枠部を示す水平断面図である。
【図１０】図１における付鴨居から長押にわたる部分を示す縦断面図である。
【図１１】図１における障子の上枠側部分を示す縦断面図である。
【図１２】図１における障子の下枠側部分を示す縦断面図である。
【図１３】図１における障子の縦枠側部分を示す水平断面図である。
【図１４】図１における入隅部を示す水平断面図である。
【図１５】片面が戸襖の開口部、他面が引き戸の開口部となった和室の入隅部を示す水平断面図である。
【符号の説明】
１…敷居となる造作材        １９…化粧用縁材
１Ａ…案内溝の有る部品        ２１…欄間敷居となる造作材
１Ｂ…案内溝のない部品        ２１Ａ…案内溝の有る部品
３…案内溝                  ２１Ｂ…案内溝のない部品
５…固着具                  ２４…立ち上がり縁
１１…鴨居となる造作材        ２４ａ…取付部品係止部
１１Ａ…案内溝の有る部品      ２８…取付用部品
１１Ｂ…案内溝のない部品      ２８ａ…係止爪
１３…案内溝                  ３１…欄間鴨居となる造作材
１４…立ち上がり縁            ３８…取付用部品
１４ａ…取付部品係止部        ３８ａ…係止爪
１８…取付用部品              ４１…縦枠材となる造作材
１８ａ…係止爪                ４１Ａ…しゃくり部の有る部品
１８ｂ…壁面固定部            ４１Ｂ…しゃくり部のない部品
１８ｃ…屈曲部                ４２…しゃくり部
１８ｄ…化粧用縁材上部取付部
【図１】
0004011206.tif 000002
【図２】
0004011206.tif 000003
【図３】
0004011206.tif 000004
【図４】
0004011206.tif 000005
【図５】
0004011206.tif 000006
【図６】
0004011206.tif 000007
【図７】
0004011206.tif 000008
【図８】
0004011206.tif 000009
【図９】
0004011206.tif 000010
【図１０】
0004011206.tif 000011
【図１１】
0004011206.tif 000012
【図１２】
0004011206.tif 000013
【図１３】
0004011206.tif 000014
【図１４】
0004011206.tif 000015
【図１５】
0004011206.tif 000016